(57)【要約】【課題】天然樹木によって建築物外壁面を広範に緑化する。【解決手段】建築物の外壁面を緑化する壁面緑化システム(1)は、垂直支柱(2)、梁部材(3)及び横架材(4:5)によって形成された鋼構造の骨組みを有する。梁部材は、外壁面(W)と平行な方向に延び、隣り合う垂直支柱を相互連結する。樹木(T)を植栽する土壌を収容した植栽ポット(6)が、横架材によって支持される。第１横架材(4)は、支柱列と外壁面との間に水平に架設され、第２横架材(5)は、支柱列の外側に水平に延びる。植栽ポットは、同一層レベルおいて支柱の前後に交互に配置され、同一支柱の上下方向において支柱の前後に交互に配置される。【選択図】図２
2007274948.tif 000002
【特許請求の範囲】
【請求項１】
建築物の外壁面を緑化する壁面緑化システムにおいて、
前記外壁面から所定間隔を隔てて配置された複数の垂直支柱と、
前記外壁面と平行な方向に延び、隣り合う垂直支柱を相互連結する梁部材と、
樹木を植栽する土壌を収容可能な植栽用容器と、
該植栽用容器を支持する第１及び第２横架材とを有し、
前記支柱、梁部材及び横架材は、建築物の外側に鋼構造の骨組みを形成し、
第１横架材は、前記支柱と前記外壁面との間に水平に架設され、前記第２横架材は、前記支柱から支柱列の外側に水平に延び、
前記植栽用容器は、第１及び第２横架材によって夫々支持され、同一層レベルおいて前記支柱の前後に交互に配置され、同一支柱の上下方向において前記支柱の前後に交互に配置されることを特徴とする壁面緑化システム。
【請求項２】
前記支柱は、地被植物が支柱の表面を登攀するように、コールテン鋼の鋼管によって形成されることを特徴とする請求項１に記載の壁面緑化システム。
【請求項３】
灌水設備、排水設備及び／又は照明設備が前記植栽用容器に配設され、灌水設備、排水設備及び／又は照明設備のための給水管、排水管及び／又は電気配線が、前記支柱内の中空部に配管又は配線されることを特徴とする請求項１又は２に記載の壁面緑化システム。
【請求項４】
前記横架材には、方杖部材が接合され、該方杖部材は、前記横架材から前記支柱に向かって斜め下方に延び、前記横架材及び方杖部材の支柱側端部は、垂直部材によって相互連結されるとともに、前記支柱に二点支持されることを特徴とする請求項１乃至３のいずれか１項に記載の壁面緑化システム。
【請求項５】
前記植栽用容器の樹木にアクセスするための床面形成部材が、前記梁部材及び／又は前記横架材に支持されることを特徴とする請求項１乃至４のいずれか１項に記載の壁面緑化システム。
【請求項６】
建築物の外壁面を緑化する壁面緑化方法において、
樹木を植栽する土壌を収容可能な第１及び第２植栽用容器を外壁面から間隔を隔てて配置し、前記第１植栽容器を前記外壁面に接近させ、前記第２植栽用容器を前記外壁面から離間させ、前記第１及び第２植栽用容器を水平方向且つ上下方向に交互に配置し、
各植栽用容器内の土壌に中木又は高木を植栽し、中木又は高木の成長によって前記外壁面を中木又は高木で覆うことを特徴とする壁面緑化方法。
【請求項７】
前記外壁面から所定間隔を隔てて複数の垂直支柱を配置し、
前記植栽容器の荷重を前記支柱に伝達するように、前記植栽用容器を支持する横架材を前記垂直支柱に取付けることを特徴とする請求項６に記載の壁面緑化方法。
【請求項８】
前記支柱に地被植物を登攀せしめることを特徴とする請求項７に記載の壁面緑化方法。
【発明の詳細な説明】
【技術分野】
【０００１】
本発明は、壁面緑化システム及び壁面緑化方法に関するものであり、より詳細には、高木、中木等の樹木によって建築物の外壁面を緑化する壁面緑化システム及び壁面緑化方法に関するものである。
【背景技術】
【０００２】
都市部の建築物においては、自然保護、景観、環境負荷軽減等の都市計画上の観点より、適正な面積の緑地を建築物の敷地内に確保することが、従来より重視されてきた。一般に、敷地の緑化は、高木、中木及び低木等の樹木や、芝生等を敷地内の土壌に植栽することによって行われている。
【０００３】
近年、壁面緑化及び屋上緑化等の建築物自体の緑化が、ヒートアイランド現象緩和、美観向上、環境負荷軽減等の観点より、注目されている。壁面緑化方法として、付着根を有するつる植物を自立登攀させて壁面を覆う登攀式壁面緑化法、屋上、ベランダ等に設置したプランターから植物を垂らして壁面を緑化する垂下式壁面緑化法、ワイヤー等の補助材を用いてつる植物を登攀又は下垂させて壁面を緑化する補助材式壁面緑化法（特開2004-267084号公報）、つる植物を誘引・巻付け可能なユニットを用いたユニット式壁面緑化（特開2004-254565号公報）、更には、壁面緑化専用の植栽済み緑化パネルを用いて壁面を早期に緑化する立体基盤式壁面緑化法（特開2003-155714号公報、特開2001-169658号公報）等が知られている。この他、多数の植栽ユニット等を屋上等から懸吊して建築物の壁面を緑化する方法（特開2004-24855号公報）等の様々な緑化方法が今日までに提案されてきた。
【特許文献１】特開2004-267084号公報
【特許文献２】特開2004-254565号公報
【特許文献３】特開2003-155714号公報
【特許文献４】特開2001-169658号公報
【特許文献５】特開2004-24855号公報
【発明の開示】
【発明が解決しようとする課題】
【０００４】
しかしながら、従来の壁面緑化法は、つる植物、蔦植物等の地被植物を使用したものにすぎず、壁面を天然樹木で広範に緑化する試みは、今日においても未だ行われていない。天然樹木で壁面を緑化するために人工地盤を外壁から突出させ、或いは、建築物の外壁を部分的に後退させて人工地盤を形成することも可能であるが、日光及び雨水が天然樹木に作用するには、適正な空間を樹木廻りに確保する必要があることから、このような人工地盤は、外壁面に局所的に形成し得るにすぎず、外壁面を天然樹木で広範に緑化することはできない。
また、地被植物を使用した壁面緑化又は屋上緑化によって大気中のCO2濃度を低減させようとする試みが、近年殊に注目されているが、地被植物によっては、CO2濃度低減効果を十分に達成し難く、中木又は高木を用いた壁面緑化の必要が将来的に生じると考えられる。
【０００５】
本発明は、このような課題に鑑みてなされたものであり、その目的とするところは、天然樹木によって建築物外壁面を広範に緑化することができる壁面緑化システム及び壁面緑化方法を提供することにある。
【課題を解決するための手段】
【０００６】
上記目的を達成すべく、本発明は、建築物の外壁面を緑化する壁面緑化システムにおいて、
前記外壁面から所定間隔を隔てて配置された複数の垂直支柱と、
前記外壁面と平行な方向に延び、隣り合う垂直支柱を相互連結する梁部材と、
樹木を植栽する土壌を収容可能な植栽用容器と、
該植栽用容器を支持する第１及び第２横架材とを有し、
前記支柱、梁部材及び横架材は、建築物の外側に鋼構造の骨組みを形成し、
第１横架材は、前記支柱と前記外壁面との間に水平に架設され、前記第２横架材は、前記支柱から支柱列の外側に水平に延び、
前記植栽用容器は、第１及び第２横架材によって夫々支持され、同一層レベルおいて前記支柱の前後に交互に配置され、同一支柱の上下方向において前記支柱の前後に交互に配置されることを特徴とする壁面緑化システムを提供する。
【０００７】
本発明の上記構成によれば、建築物の外壁と平行な支柱列が外壁面の外側に配置される。植栽用容器の荷重は、横架材を介して支柱に伝達し、支柱の柱脚部から基礎及び地盤に伝達するので、建築物に大きな構造的負荷を与えずに、中木又は高木用の植栽用容器を外壁に配置することができる。同一層レベルの植栽用容器は、外壁面に沿って支柱の前後に交互に配置されるので、隣り合う樹木の間に十分な水平方向距離を確保することができる。また、同一支柱と関連した植栽用容器は、支柱の前後に交互に配置されるので、上下の樹木の間に十分な上下方向距離を確保することができる。従って、十分な空間を各樹木廻りに確保し、日光及び雨水を各樹木に均一に作用せしめることが可能となる。
【０００８】
他の観点より、本発明は、建築物の外壁面を緑化する壁面緑化方法において、
樹木を植栽する土壌を収容可能な第１及び第２植栽用容器を外壁面から間隔を隔てて配置し、前記第１植栽容器を前記外壁面に接近させ、前記第２植栽用容器を前記外壁面から離間させ、前記第１及び第２植栽用容器を水平方向且つ上下方向に交互に配置し、
各植栽用容器内の土壌に中木又は高木を植栽し、中木又は高木の成長によって前記外壁面を中木又は高木で覆うことを特徴とする壁面緑化方法を提供する。
【発明の効果】
【０００９】
本発明の壁面緑化システムによれば、天然樹木によって建築物外壁面を広範に緑化することができる。また、天然樹木で壁面緑化することにより、外壁面を全体的に中木又は高木で視覚的に覆うとともに、大気中のCO2濃度の低減に有効な壁面を建築物に形成することができる。
【発明を実施するための最良の形態】
【００１０】
本発明の実施形態において、植栽用容器は、真円形断面の頂部開口形容器からなる。植栽容器の断面（水平断面）は、長円形又は楕円形等の円形断面、或いは、三角形、四角形、五角形等の多角形断面に設計しても良い。また、植栽用容器を二重構造に設計し、或いは、植栽用土壌を収容した内側ポット又はプランタ等の内側容器を植栽用容器内に更に配置しても良い。
【００１１】
本発明の好適な実施形態によれば、支柱、梁部材及び横架材は、植栽用容器の荷重を支持することができる所定断面の鋼管からなり、ブラケット及びボルト・ナット組立体によって相互連結される。好ましくは、支柱は、コールテン鋼の鋼管からなり、植栽用容器又は地盤、或いは、地上レベルのプランタ等に植栽した蔦植物又はつる植物等の地被植物が支柱の表面を登攀する。
【００１２】
好ましくは、支柱の柱脚部は、建築物の構造体から独立した鉄筋コンクリート構造等の基礎に支持され、第１横架材は、外壁面に取外し可能に連結される。壁面緑化システムは、建築物に対して独立した構造体を形成し、建築物から取外すことができる。このような構成の壁面緑化システムは、既存建築物の壁面に取付けることも可能であるので、実用的に有利である。
【００１３】
更に好ましくは、植栽用容器は、角形鋼管製の横架材の上面に固定され、灌水設備、排水設備及び照明設備が植栽用容器に配設される。灌水設備、排水設備及び照明設備のための給水管、排水管及び電気配線が、支柱内の中空部に配管又は配線される。
【００１４】
本発明の好適な実施形態において、上記横架材には、方杖部材が接合され、方杖部材は、横架材から支柱に向かって斜め下方に延びる。横架材及び方杖部材の支柱側端部は、垂直部材によって相互連結され、概ねトラス構造の骨組みを形成し、この骨組は、支柱に二点支持される。
【００１５】
所望により、各植栽用容器の樹木にアクセスするための床面形成部材が、梁部材及び横架材に支持される。
【実施例１】
【００１６】
以下、添付図面を参照して、本発明の好適な実施例について詳細に説明する。
【００１７】
図１及び図２は、本発明の実施例に係る壁面緑化システムを全体的に示す正面図及び側面図である。
【００１８】
壁面緑化システム１は、建築物Ａの外壁面Ｗに沿って延びる複数の垂直支柱２と、支柱２の間に水平に架設された複数の梁部材３と、支柱２と外壁面Ｗとの間に水平に延びる両端支持構造の横架材４と、支柱２から外側に延びる片持ち梁構造の横架材５と、支柱２の前後に交互に配置された植栽ポット６とから構成される。植栽ポット６は、樹木植栽用の土壌を収容可能な植栽用容器を構成する。支柱２の柱脚部は、地上レベルＧＬに配置された鉄筋コンクリート構造の基礎７に埋入し、基礎７によって地盤Ｇ上に支持される。支柱２は、スパンＳの相互間隔を隔てて整列配置され、外壁面Ｗと平行な支柱列を建築物Ａの外側に形成する。
【００１９】
建築物Ａは、４階建ての建築物として例示されており、梁部材３、横架材４、５及び植栽ポット６は、建築物Ａの各階の床レベル１ＦＬ〜４ＦＬに相応するレベルに夫々配置される。各階の梁部材３は、図１に示すように同一レベルに配置され、横架材４、５は、図２に示すように梁部材３と同一レベルに配置される。支柱２、梁部材３及び横架材４、５は、立体格子状の鋼構造物として建築物Ａの外側に構築される。
【００２０】
図３及び図４は、壁面緑化システム１の構造を示す部分平面図及び部分側面図であり、図５は、支柱２に固定したブラケットの配置を示す平面図、正面図及び側面図である。
【００２１】
図３に示すように、横架材４は、各支柱２と外壁面Ｗとを連結するように１スパン（１×Ｓ）間隔に配置され、横架材５は、２スパン（２×Ｓ）間隔に配置される。植栽ポット６は、支柱２と外壁面Ｗとの間の壁面帯域（支柱列の後側領域）において２スパン（２×Ｓ）間隔に配置され、横架材４に支持される。植栽ポット６は又、支柱列の外側帯域（支柱２の前側領域）において２スパン（２×Ｓ）間隔に配置され、横架材５に支持される。
【００２２】
支柱２は、円形断面の鋼管からなり、例えば、１００mm×４．２mm（直径×肉厚）の断面寸法を有する。梁部材３は、ブラケット３１を両端部に固定した角形鋼管からなり、例えば、１００mm×５０mm×３．２mm（高さ×幅×肉厚）の断面寸法を有する。ブラケット３１は、支柱２の両側に突設したブラケット２１にボルト連結される。梁部材３は、両端支持の梁部材として支柱２の間に架設され、隣り合う支柱２同士を相互連結する。
【００２３】
横架材４は、梁部材３と同一の断面寸法を有する角形鋼管からなる。ブラケット４１が、横架材４の支柱側端部（前端部）に固定され、アンカープレート４２が、横架材４の外壁側端部（後端部）に固定される。アンカープレート４２は、アンカーボルト４９によって外壁面Wに固定される。ブラケット２２が、支柱２の前後に突設される。ブラケット４１は、支柱２の後側（外壁面側）に位置するブラケット２２にボルト連結される。図５に示す如く、ブラケット２２は、ブラケット２１と直交する方向に配向され、横架材４は、梁部材３と直交する方向に延び、支柱２を建築物Ａの外壁に連結する。
【００２４】
横架材５も又、梁部材３と同一の断面寸法を有する角形鋼管からなる。横架材５の前端面は、鋼鈑５２によって閉塞する。ブラケット５１が、横架材５の支柱側端部（後端部）に固定され、支柱列の外側（支柱２の前側）に位置するブラケット２２にボルト連結される。横架材５は、梁部材３と直交する方向に配向され、横架材４と整列する。
【００２５】
図４に示す如く、植栽ポット６は、横架材４、５上に夫々配置され、植栽ポット６の荷重は、横架材４、５によって支持される。植栽ポット６の荷重を支柱２に伝達する方杖部材４３、５３が、支柱２の前後に対称に配置される。方杖部材４３は、横架材４から斜め下方に延び、垂直プレート４５の下端部に一体的に連結される。垂直プレート４５は、横架材４の端部とブラケット４１との間に介挿した帯状の鋼鈑からなる。方杖部材５３は、横架材５から斜め下方に延び、垂直プレート５５の下端部に一体的に連結される。垂直プレート５５は、横架材５の端部とブラケット５１との間に介挿した帯状の鋼鈑からなる。
【００２６】
ブラケット２３が支柱２の前後に突設され、ブラケット４４、５４が、ブラケット２３と対向するように垂直プレート４５、５５に固定される。ブラケット４４、５４は夫々、ブラケット２３にボルト連結される。かくして、横架材４、５は、支柱２に二点支持され、植栽ポット６の荷重は、上下のブラケット２２、２３を介して支柱２に伝達する。
【００２７】
図６は、植栽ポット６の構造を示す平面図、正面図及び側面図である。
【００２８】
図６には、支柱２の前側に配置された植栽ポット６が示されている。植栽ポット６は、直径約８００mmの円筒形本体６１と、本体６１の下面を閉塞する底板６２とから構成される。本体６１は、板厚約３mmの鋼鈑の曲げ成形品からなり、底板６２は、周縁部を本体６１に溶接した板厚約３mmの円形鋼鈑からなる。底板６２は、横架材５の上面に溶接され、植栽ポット６は、横架材５と一体化する。
【００２９】
土壌充填領域７０の底面を形成する排水板６３が、植栽ポット６内に配置される。排水板６３には、径方向中央部に向かって水勾配の傾斜が付けられており、排水口６４が、排水板６３の中心に配置される。排水口６４は、排水管６５に接続され、排水管６５は、図６（Ｃ）に示す如く、底板６２を貫通する。排水管６５は、横架材５２の中空部内に延び、仮想線で示すように中空部内に配管される。
【００３０】
土壌充填領域７０の上部には、灌水設備８及び照明設備９が配置される。灌水設備８は、植栽ポット６の内周面に沿って延びる灌水管８１と、灌水管８１に接続された給水管８２とから構成される。照明設備９は、本体６１に支持された複数の照明器具９１と、電力供給用の電気配線９２と、電気配線９２を接続可能な配電ボックス９３とから構成される。配電ボックス９３には、給電線を挿通した電気配管９４が接続される。
【００３１】
図２に部分拡大断面図として示すように、給水管８２、排水管６５及び電気配管９４は、支柱２の管内領域に延びる。支柱２内には、給水主管８３及び排水主管６６が垂直に配管される。給水管８２は、給水主管８３に接続され、排水管６５は、排水主管６６に接続される。電気配管９４は、支柱２の管内領域に垂直に配管される。
【００３２】
土壌Ｊが土壌充填領域７０に所定レベルまで充填される。所望により、土壌Ｊの落下を阻止して排水する土壌排水手段が排水口６４に設けられる。例えば、土壌Ｊとして、比重０．８程度の軽量土壌と、排水層用の土壌改良資材（比重０．１程度の黒曜石パーライト等）とを好ましく使用し得る。土壌Ｊの上方域には、灌水設備８及び照明設備９が配置される。
【００３３】
図２には、中木又は高木等の樹木Ｔと、蔦植物（蔦類）又はつる植物等の地被植物Ｕとを植栽ポット６内の土壌Ｊに植栽した状態が示されている。樹木Ｔの高さは、建築物Ａの階高Ｈよりも低い高さを有する。樹木Ｔとして、例えば、樹高４ｍ、樹径２ｍの高木（例えば、しゃら）を植栽ポット６に植栽することができる。地被植物Ｕは、支柱２に伸び、支柱２の表面を登攀し又は垂下する。支柱２は、好ましくは、コールテン鋼の鋼管からなり、地被植物Ｕの付着根は、コールテン鋼の酸化皮膜に付着し、支柱２の表面を自立登攀する。
【００３４】
図１に示す如く、植栽ポット６は、建築物Ａの正面側に均等な間隔で配置され、建築物Ａの外壁面Ｗは、樹木Ｔで全体的に緑化される。樹木Ｔは、都市計画上の観点より建築物Ａの価値を高めるばかりでなく、建築物Ａに作用する夏期の日射を緩和する効果、屋外環境と屋内領域との間の視線を自然物で遮断する効果、或いは、建築物利用者の心理を自然物で改善する効果など、登攀植物のみによる従来の壁面緑化では得られなかった効果をもたらす。
【００３５】
植栽ポット６は、支柱２の前後に交互に配置されるが、このような千鳥配置により、十分な水平間隔及び垂直間隔を樹木Ｔ同士の間に確保することができる。
【００３６】
図７は、樹木Ｔの配置を示す平面図である。
【００３７】
図７（Ａ）には、奇数階レベルの樹木配置が示されており、図７（Ｂ）には、偶数階レベルの樹木配置が示されている。図７に示す通り芯（１）〜（６）は、図１に示す支柱２の通り芯（１）〜（６）と一致する。
【００３８】
偶数番号の通り芯（２）、（４）、（６）に配置された植栽ポット６は、偶数階（２階、４階）レベルにおいて支柱列の外側に配置され、奇数階（３階）レベルにおいて支柱列と外壁面Ｗとの間に配置される。奇数番号の通り芯（１）、（３）、（５）に配置された植栽ポット６は、奇数階（３階）レベルにおいて支柱列の外側に配置され、偶数階（２階、４階）レベルにおいて支柱列と外壁面Ｗとの間に配置される。樹木Ｔは、水平方向距離Ｅを隔てて離間するとともに、２層分の高さ２×Ｈの上下方向距離に隔てて離間する。このため、図２に示す如く、十分な日射Ｌが各樹木Ｔに到達し、十分な露又は雨水Ｒが樹木Ｔに降りるための空間が、各樹木Ｔの廻りに確保される。
【００３９】
各植栽ポット６は、５００〜６００kg程度の重量を有し、植栽ポット６の荷重は、横架材４、５を介して支柱２に伝達する。植栽ポット６の荷重は、支柱２、梁部材３及び横架材４、５の自重を含む鉛直荷重Ｐとして支柱２の柱脚部分に作用し、基礎７は、鉛直荷重Ｐを支持する。植栽ポット６の荷重の一部は、曲げ応力及び剪断応力として、横架材４から建築物Ａの外壁に作用するが、建築物Ａに作用する応力は、比較的小さく、建築物Ａの鉄筋補強等によって比較的容易に吸収することができる。上述した植栽ポット６の交互配列は、壁面緑化システム１の荷重均衡を図る上でも有利であり、例えば、横架材４、５と支柱２との接続部に作用する剪断応力又は曲げ応力は、互いに反対方向に支柱に作用し、部分的に相殺する。所望により、壁面緑化システム１の耐震性を向上させる水平ブレース等の補強材を鋼製骨組みの適所に配置しても良い。
【００４０】
樹木Ｔの管理は、支柱２、梁部材３及び横架材４、５からなる鋼製骨組を利用して行うことができる。通常の技能を有する植木職人は、建築物の窓等を介して鋼製骨組に移り、各樹木Ｔにアクセスすることができる。所望により、各樹木Ｔにアクセスするための足場が壁面緑化システム１に配設される。図７には、このような足場を形成するグレーチング等の開孔鋼製床材３５、３６（仮想線で示す）が例示されている。開孔鋼製床材３５、３６は、建築物Ａ、梁部材３及び横架材４に支持される。
【００４１】
図８は、樹木Ｔが成長した状態を示す壁面緑化システムの正面図である。
【００４２】
樹木Ｔの成長に伴い、建築物Ａの外壁面Ｗのみならず、壁面緑化システム自体も樹木Ｔで覆われる。所望により、壁面緑化システムの直下又は外側の地盤Ｇに樹木（仮想線で示す）を植栽しても良い。また、蔦植物（蔦類）又はつる植物等の地被植物を地盤Ｇに植栽し、最下層の支柱２に登攀させても良い。支柱列の外側に配置された植栽ポット６は、樹木Ｔによって完全に覆うことは困難であるものの、地盤レベルの歩行者等は、支柱列外側の植栽ポット６を視覚的に認識し難い。従って、壁面緑化システムは、樹木Ｔによって実質的に覆われる。  
【００４３】
以上、本発明の好適な実施例について詳細に説明したが、本発明は上記実施例に限定されるものではなく、特許請求の範囲に記載された本発明の範囲内で種々の変形又は変更が可能である。
【００４４】
例えば、上記実施例では、植栽ポット６内に土壌Ｊを直に充填しているが、植栽ポット６を二重構造に設計し、或いは、内側ポット又はプランタボックス等を植栽ポット６内に配置しても良い。
【００４５】
また、植栽ポット６、梁部材３及び横架材４、５等に耐候性塗料を塗装し、或いは、これらの部材をコールテン鋼等の耐候性鋼材によって製作しても良い。
【００４６】
更に、給水ポンプ等の灌水用給水設備や、灌水及び照明を自動制御又は時間制御する制御装置等の如く、従来の緑化システムにおいて採用されている公知の装置又は機器を壁面緑化システム１に適当に配設しても良い。
【００４７】
また、樹木Ｔは、常緑樹であっても、落葉樹であっても良い。例えば、常緑樹は、管理を容易にする上で望ましく、他方、落葉樹は、夏期日射の遮断と冬季日射の壁面到達とを両立させる上で望ましい。
【産業上の利用可能性】
【００４８】
本発明の壁面緑化システム及び壁面緑化方法は、天然樹木によって建築物外壁面を広範に緑化する壁面緑化手段として用いられる。殊に、本発明の壁面緑化システム及び壁面緑化方法は、低層又は中層の都市建築物の外壁面を中木又は高木で全体的に緑化する壁面緑化手段として有利に使用される。
【図面の簡単な説明】
【００４９】
【図１】本発明の実施例に係る壁面緑化システムの構成を全体的に示す正面図である。
【図２】図１に示す壁面緑化システムの構成を示す側面図である。
【図３】壁面緑化システムの構造を示す部分平面図である。
【図４】壁面緑化システムの構造を示す部分側面図である。
【図５】支柱に固定したブラケットの配置を示す平面図、正面図及び側面図である。
【図６】植栽ポットの構造を示す平面図、正面図及び側面図である。
【図７】樹木の配置を示す平面図である。
【図８】樹木が成長した状態を示す壁面緑化システムの正面図である。
【符号の説明】
【００５０】
１  壁面緑化システム
２  垂直支柱
３  梁部材
４  横架材（第１横架材）
５  横架材（第２横架材）
６  植栽ポット
７  基礎
８  灌水設備
９  照明設備
６１  本体
６２  底板
６３  排水板
６４  排水口
６５  排水管
Ａ  建築物
Ｗ  外壁面
Ｊ  土壌
Ｔ  樹木
Ｕ  地被植物
【図１】
2007274948.tif 000003
【図２】
2007274948.tif 000004
【図３】
2007274948.tif 000005
【図４】
2007274948.tif 000006
【図５】
2007274948.tif 000007
【図６】
2007274948.tif 000008
【図７】
2007274948.tif 000009
【図８】
2007274948.tif 000010